(57)【要約】【課題】  扉を開放させるために煩雑な操作を必要とせず、簡易的な構造で大きな開放力を得ることのできる扉開放補助機構を備えた開口部装置を提供する。【解決手段】  建物開口部の４辺に沿って取り付けられた枠体と、該枠体の内側に配置され、室内側又は室外側に開く扉とを備える開口部装置であって、扉の回動軸の備えられていない端面から突没可能かつ前記枠体に係合離脱可能に設けられたラッチボルトと、扉に設けられ、ラッチボルトの扉からの突没を禁止又は許容するラッチボルト制御機構４０と、扉に設けられ、ラッチボルト制御機構に連動し、ラッチボルトの扉からの突没が許容された姿勢で扉を枠体から離脱させる方向に付勢するアシスト機構６０とを備える。【選択図】      図３
2007077761.tif 000002
【特許請求の範囲】
【請求項１】
建物開口部の４辺に沿って取り付けられた枠体と、該枠体の内側に配置され、室内側又は室外側に開く扉と、を備える開口部装置であって、
前記扉の回動軸の備えられていない端面から突没可能かつ前記枠体に係合離脱可能に設けられたラッチボルトと、
前記扉に設けられ、前記ラッチボルトの前記扉からの突没を禁止又は許容するラッチボルト制御機構と、
前記扉に設けられ、前記ラッチボルト制御機構に連動し、前記ラッチボルトの前記扉からの突没が許容された姿勢で前記扉を前記枠体から離脱させる方向に付勢するアシスト機構と、を備える開口部装置。
【請求項２】
前記ラッチボルト制御機構と、前記アシスト機構とに、
前記扉の室外側及び／又は室内側に設けられ、前記ラッチボルト制御機構と前記アシスト機構とを連動して動作させるように移動又は回動するとともに前記扉の開閉手段でもある把手を備えることを特徴とする請求項１に記載の開口部装置。
【請求項３】
前記ラッチボルト制御機構が、
鉛直に設けられた回動可能な鉛直軸と、
一端が前記鉛直軸に、他端が前記把手に取り付けられたアームと、
一端が前記鉛直軸に取り付けられた板材である案内板と、
前記案内板の他端側に設けられ、前記鉛直軸からの距離が変化する部位と、前記鉛直軸からの距離が一定である部位とを連続して有するスリットと、
前記扉の室内外方向に直交し、水平に設けられた回動可能な水平軸と、
一端が前記水平軸に取り付けられ、他端側が前記スリットの内側に配置された摺動部材と、
一端が前記水平軸に取り付けられ、他端側が前記ラッチボルトに延設され、水平の姿勢で前記ラッチボルトと係合し、所定以上に傾いた姿勢で前記ラッチボルトから離脱するラッチボルト当接部材と、を備えることを特徴とする請求項２に記載の開口部装置。
【請求項４】
前記アシスト機構が、
鉛直に設けられた回動可能な鉛直軸と、
一端が前記鉛直軸に、他端が前記把手に取り付けられたアームと、
一端が前記鉛直軸に取り付けられた押し部材と、
前記鉛直軸とは異なる回動可能な他の鉛直軸と、
前記他の鉛直軸に取り付けられ一端が前記押し部材の回動の軌道上に配置され、他端が前記他の鉛直軸を中心とした回動の軌道上に前記枠体が設けられるよう配置された枠体押し部材と、を備えることを特徴とする請求項２又は３に記載の開口部装置。
【発明の詳細な説明】
【技術分野】
【０００１】
本発明は、戸建やマンション等の住宅やオフィスビル、又は公共施設等の建物に備えられる開口部装置に関し、詳しくは、少ない力で扉を開放操作することのできる機構を有する開口部装置に関する。
【背景技術】
【０００２】
近年における戸建やマンション等の住宅やオフィスビル、又は公共施設等の建物では、より快適な居住性を得るため、遮音や冷暖房の高効率化等の観点から気密性の高い居住空間の需要が増加している。かかる需要を満たすために、窓や玄関等には気密性の高い開口部装置が採用される場合が多い。
【０００３】
このように気密性の高い開口部装置を採用することにより居住空間の気密性が確保されて快適な空間を得ることができる。ところが一方で、気密性が高いため室内外で気圧差が生じた場合に自然に通気せず、この気圧差が維持されてしまう場合がある。特に、マンションやオフィスビル等では、常時「換気」がされるシステムが採用されている場合も多いので、室内側が負圧とされ、常に比較的大きな室内外の気圧差がある場合も少なくない。
【０００４】
このような場合に備えられた例えばスイング式の扉を気圧の高い方に開こうとすると、この気圧差によって扉を開くために大きな力を必要とする場合があった。これは例えば特に力の弱い子供や高齢者にとっては負担の大きな作業となる。
【０００５】
一方、気圧差により扉が開き難いのは該扉を開く最初のときで、いわゆる「初動時」のみである。扉がわずかでも開いて室内外が通じると、この開いた部位で通気が行われて扉を挟んだ室内外の部位における圧力差が緩和される。圧力差が緩和されれば扉は通常の力で開放操作することができ、特に大きな力を必要としない。
【０００６】
そこで従来においては特許文献１のような把手の押し引き動作方向に対応して扉本体に開放力を付与する機構を備えた扉が開示されている。特許文献１に記載の扉に備えられる扉開放の補助機構は、扉に室内外方向に揺動可能に設けられた把手にリンクした室内外方向に回動するアームを有している。そしてこのアームが固定された枠を押すことにより開放力を付与するとしている。
【０００７】
【特許文献１】特許第３５９７７２７号公報
【発明の開示】
【発明が解決しようとする課題】
【０００８】
しかし、特許文献１に開示されている扉に備えられた扉開放の補助機構は、通常の扉に備えられるラッチボルトとは無関係に設けられているので、ラッチボルトと補助機構との両方を操作しなければ扉を開放することができないという問題があった。これは扉を開けるためにはラッチボルトの固定を解除しなければならず、この解除のための動作をすることなしに扉を開けることはできないのが通常だからである。
【０００９】
また、特許文献１に開示されている扉に備えられる扉開放の補助機構では開放力を付与するモーメントが生じるのは、アームの長さによるもののみであり、構造的にアームを極端に大きくすることは困難であることから、付与される開放力に限界があり、あまり大きな開放力とすることができないという問題もあった。さらに該補助機構は歯車を利用しているので、機構として複雑となり、高価なものとなる虞もあった。
【００１０】
そこで、本発明は扉を開放させるために煩雑な操作を必要とせず、簡易的な構造で大きな開放力を得ることのできる扉開放補助機構を備えた開口部装置を提供することを課題とする。
【課題を解決するための手段】
【００１１】
以下、本発明について説明する。なお、本発明の理解を容易にするために添付図面の参照符号を括弧書きにて付記するが、それにより本発明が図示の形態に限定されるものではない。
【００１２】
請求項１の発明は、建物開口部の４辺に沿って取り付けられた枠体（１０）と、該枠体の内側に配置され、室内側又は室外側に開く扉（１５）とを備える開口部装置（１）であって、扉の回動軸の備えられていない端面から突没可能かつ前記枠体に係合離脱可能に設けられたラッチボルト（２５）と、扉に設けられ、ラッチボルトの扉からの突没を禁止又は許容するラッチボルト制御機構（４０）と、扉に設けられ、ラッチボルト制御機構に連動し、ラッチボルトの扉からの突没が許容された姿勢で扉を枠体から離脱させる方向に付勢するアシスト機構（６０）とを備える開口部装置を提供することにより前記課題を解決する。
【００１３】
ここに、本発明にかかるラッチボルト制御機構、及びアシスト機構は、機械的な構造を介して動作するものであり、電気的な手段により動作させることは含まないとする。
【００１４】
請求項２の発明は、請求項１に記載の開口部装置のラッチボルト制御機構（４０）と、アシスト機構（６０）とに、扉（１５）の室外側及び／又は室内側に設けられ、ラッチボルト制御機構とアシスト機構とを連動して動作させるように移動又は回動するとともに扉の開閉手段でもある把手（３１）を備えることを特徴とする。
【００１５】
請求項３の発明は、請求項２に記載の開口部装置のラッチボルト制御機構（４０）が、鉛直に設けられた回動可能な鉛直軸（４３）と、一端が鉛直軸に、他端が把手（３１）に取り付けられたアーム（３２）と、一端が鉛直軸に取り付けられた板材である案内板（４５）と、案内板の他端側に設けられ、鉛直軸からの距離が変化する部位（４６ａ）と、鉛直軸からの距離が一定である部位（４６ｂ）とを連続して有するスリット（４６）と、扉の室内外方向に直交し、水平に設けられた回動可能な水平軸（４４）と、一端が水平軸に取り付けられ、他端側がスリットの内側に配置された摺動部材（４９）と、一端が水平軸に取り付けられ、他端側がラッチボルト（２５）に延設され、水平の姿勢でラッチボルトと係合し、所定以上に傾いた姿勢でラッチボルトから離脱するラッチボルト当接部材（４８）とを備えることを特徴とする。
【００１６】
請求項４の発明は、請求項２又は３に記載の前記アシスト機構が、鉛直に設けられた回動可能な鉛直軸（６３）と、一端が鉛直軸に、他端が把手（３１）に取り付けられたアーム（３３）と、一端が鉛直軸に取り付けられた押し部材（６４）と、鉛直軸とは異なる回動可能な他の鉛直軸（７０）と、他の鉛直軸に取り付けられ一端が押し部材の回動の軌道上に配置され、他端が前記他の鉛直軸を中心とした回動の軌道上に枠体（１０）が設けられるよう配置された枠体押し部材（７２）とを備えることを特徴とする。
【発明の効果】
【００１７】
請求項１に記載の発明によれば、ラッチボルトの解除された状態で扉を開放するアシスト機構が動作するので、利用者はラッチボルトの状態を気にすることなく扉を開放することが可能となる。そしてラッチボルトが枠体に係合したままアシスト機構が動作することによる扉や枠体の破損を防止することにもなり、信頼性の高い開口部装置を提供することができる。また、アシスト機構が適切に動作することにより、例えば室内側が負圧とされること等により生じた室内外の気圧差があっても小さい力で扉の開放が可能となる。
【００１８】
請求項２の発明によれば、ラッチボルト制御機構及びアシスト機構を動作させるために他の特別な操作を必要とせず、通常のように把手を操作するのみで良いので利便性の高い開口部装置を提供することができる。
【００１９】
請求項３の発明によれば、歯車等の複雑な部材を使用することなく簡易的な部材の組み合わせで構成することができ、信頼性が高く、安価であるラッチボルト制御機構とすることができ、利用者にとって利得の高い開口部装置とすることが可能である。さらに、操作部である把手をアームによって連結することによりアーム長さによりモーメントを大きくとることができるので、例えば室内側が負圧とされること等により生じた室内外の気圧差があっても小さい力で扉の開放が可能となり、使用者にとって利便性の高い開口部装置とすることができる。
【００２０】
請求項４の発明によれば、歯車等の複雑な部材を使用することなく簡易的な部材の組み合わせで構成することができ、信頼性が高く、安価であるアシスト機構とすることができ、利用者にとって利得の高い開口部装置を提供することが可能である。さらに、操作部である把手をアームによって連結することによりアーム長さによりモーメントを大きくとることができるので、例えば室内側が負圧とされること等により生じた室内外の気圧差があっても小さい力で扉の開放が可能となり、使用者にとって利便性の高い開口部装置とすることができる。
【００２１】
本発明のこのような作用及び利得は、次に説明する発明を実施するための最良の形態から明らかにされる。
【発明を実施するための最良の形態】
【００２２】
以下本発明を図面に示す実施形態に基づき説明する。
【００２３】
図１は、１つの実施形態にかかる本発明の開口部装置１を室内側正面から見た図である。開口部装置１は、建物の開口部の４辺に沿って固定して取り付けられた枠体１０と、該枠体１０の内側に配置される扉１５とを備えている。枠体１０は、上枠１１、下枠１２と縦枠１３、１４とを有している。また、扉１５はいわゆるスイング型の扉で、縦枠１３側の端部が蝶番等により回動可能に取り付けられている。そして、縦枠１４側の端部が紙面奥側に回動することにより扉１５が開く。扉１５はまた、その室内視で把手３１と施錠装置２０、２０とを備えている。把手３１は後述する扉開放補助機構３０の一部を構成する部材であり、通常は利用者が該把手３１を掴んで扉１５の開閉をおこなう。施錠装置２０、２０は扉１５の開閉を禁止又は許容するもので、防犯の機能を有するものである。
【００２４】
開口部装置１では、室内側から室外側に開く形式のスイング扉であり、室内側が負圧とされており、室内側の方が気圧が低く、室外側の方が気圧が高い場合に適用される。しかし必ずしもかかる状態に限定される必要はなく、本発明の開口部装置は、開く方向や室内外でいずれの方が気圧が高いかによって適宜その向き等が変更される。
【００２５】
開口部装置１では、利用者は施錠装置２０、２０の解錠時に把手３１を掴み室外側に把手３１を押すように操作する。これにより、後述する扉開放補助機構３０が動作し、室内側の気圧が低い場合でも小さな力で扉１５を開放することができる。また、扉１５は室外視においても室内側に対応した位置に把手及び施錠装置を備えている。
【００２６】
図２は、扉開放補助機構３０が取り付けられた周辺に着目して示した扉１５の室内側からの斜視図である。扉開放補助機構３０のそのほとんどの部分は扉１５の内側に配置され、外観視からは隠蔽されている。外観視では扉開放補助機構３０のうち、室内側には把手３１と、該把手３１と扉１５の内側に配置された扉開放補助機構３０の部分とを連結しているアーム３２、３３と、が備えられている。また、扉１５の端面から、扉開放補助機構３０の枠体押し部材７２の一部が突出して配置されている。さらに該枠体押し部材７２の上方にはラッチボルト２５が扉１５に突没可能に配置されている。後述のように扉開放補助機構３０が、ラッチボルト２５の扉１５からの突没を許容するか又は禁止するかを決める。ラッチボルト２５が扉１５から突没することを禁止されているときには、ラッチボルト２５は縦枠１４に係合している。一方、ラッチボルト２５が扉１５から突没することを許容されているときには、ラッチボルト２５は縦枠１４には係合せず離脱可能状態である。従って、本発明の開口部装置１は、扉開放補助機構３０を備え、該扉開放補助機構３０は把手３１の操作時に同時に動作し、ラッチボルト２５の扉１５からの突没を許容するとともに枠体押し部材７２を動作させるものである。よって、本発明では、利用者は通常の扉の開放操作をするのみで他の操作をする必要がなく、非常に利便性の高い開口部装置を提供することができる。
【００２７】
次に、扉開放補助機構３０について説明する。図３は扉開放補助機構３０の室内側斜視図である。また、図４は扉開放補助機構３０の室外側斜視図である。ここでは図３及び図４を参照しつつ扉開放補助機構３０について説明する。扉開放補助機構３０は、上述のように室内側に突出して配置された把手３１を有している。そして該把手３１の側面から扉１５の方向に２本のアーム３２、３３が延設されている。この２本のアーム３２、３３は鉛直方向に所定の間隔で配置されており、扉１５の内側に達している。２本のアーム３２、３３のそれぞれの扉側端部には、ラッチボルト制御機構４０、及びアシスト機構６０が取り付けられている。以下ラッチボルト制御機構４０及びアシスト機構６０について順に説明する。
【００２８】
ラッチボルト制御機構４０は、その室内側に鉛直に配置された２本の軸４２、４３によりアーム３２と連結されている。また、ラッチボルト制御機構４０は室内側面と該室内側面に隣接する左右側面とに開口を有する箱体４１を備えており、２本の軸４２、４３の両端部は該箱体４１の上下面にそれぞれ取り付けられている。そのうち軸４３の両端部は箱体４１の上下面に回動自在に取り付けられ、軸４２の両端部は箱体４１の上下面に設けられた円弧状のスリット４１ａ、４１ａの内側を移動可能とされている。従って、アーム３２は、軸４３を中心に回動可能とされ、これに伴い、軸４２がスリット４１ａ、４１ａ内を移動する。また、軸４３には、トーションばね８０が取り付けられており、その一端を軸４２、他端を箱体４１の側面に係止して取り付けられている。これにより、アーム３２及び把手３１は、常に室内側に付勢され、把手３１ににかかる力が除荷されると所定位置に戻るようにされている。さらにラッチボルト制御機構４０は、軸４２、４３に取り付けられた略扇形の板材の部材で、箱体４１の側面から回動して突没する案内板４５を備えている。加えて該案内板４５に連結し、その一部を箱体４１の室外側に突出して配置される制御部材４７も設置されている。これら部材については後で詳しく説明する。
【００２９】
アシスト機構６０は、その室内側に鉛直に配置された２本の軸６２、６３によりアーム３３と連結されている。また、アシスト機構６０は室内側面と該室内側面に隣接する左右側面とに開口を有する箱体６１を備えており、２本の軸６２、６３の両端部は該箱体６１の上下面のそれぞれに取り付けられている。そのうち軸６３の両端部は箱体６１の上下面に回動自在に取り付けられ、軸６２の両端部は箱体６１の上下面に設けられた円弧状のスリット６１ａ、６１ａ（下面に設けられたスリット６１ａは図３、図４では死角となり見えない。）の内側を移動可能とされている。従って、アーム３３は、軸６３を中心に回動可能とされ、これに伴い軸６２がスリット６１ａ、６１ａ内を移動する。また、軸６３には、トーションばね８１が取り付けられており、その一端を軸６２、他端を箱体６１の側面に係止して取り付けられている。これにより、アーム３３及び把手３１は、常に室内側に付勢され、把手３１ににかかる力が除荷されると所定位置に戻るようにされている。さらにアシスト機構６０は軸６２、６３に取り付けられた押し部材６４を備えている。また、箱体６１より室外側には、押し部材６４により回動する枠体押し部材７２が設けられている。これら部材については後で詳しく説明する。
【００３０】
さらに、詳しく扉開放補助機構３０の構成について説明する。図５は、図３と同じ視点の室内側から見た扉開放補助機構３０の斜視図で、見易さのために箱体４１、６１を取り除いて示した図である。また、図６は、ラッチボルト制御機構４０を含む部分における扉開放補助機構３０周辺の上面図、図７はアシスト機構６０を含む部分における扉開放補助機構３０周辺の上面図である。図６、図７では、紙面上が室外側、紙面下が室内側を示している。ここでは図５、図６及び図７を参照しつつ、特にラッチボルト制御機構４０及びアシスト機構６０について説明する。
【００３１】
ラッチボルト制御機構４０の案内板４５は、図５及び図６からわかるように略扇形の板材で、室内側端部は軸４２、４３を介してアーム３２に連結している。また、室外側の端部にはスリット４６が該端部に沿って設けられている。スリット４６は軸４３からの距離が連続的に変化するスリット４６ａと、軸４３からの距離が一定であるスリット４６ｂとが連続して形成されて１つのスリット４６とされている。スリット４６ａではスリット４６ｂに近づくほど軸４３との距離が大きくなるように形成されている。制御部材４７は、室内外方向に直交し水平である回動自在である軸４４に取り付けられた板材を組み合わせて設けられた部材であり、室外側には室外側に延設されたラッチボルト当接部材４８を有している。また、上面には案内板４５のスリット４６の内側に配置される摺動部材４９が取り付けられている。従ってアーム３２、つまりは把手３１を軸４３を中心に回動させると、同様に軸４３を中心に案内板４５が回動し、スリット４６も移動する。すると、該スリット４６の内側に配置されている摺動部材４９がスリット内を移動するが、スリット４６は上述のように位置によって軸４３との距離が異なる。摺動部材４９は該スリット４６の内側にあるのでスリット４６の軸４３からの距離が変化すると、該変化に合わせて室内外方向に移動する。しかし一方で、摺動部材が取り付けられている制御部材４７は軸４４に回動自在に固定されているので、室内外方向に水平には移動することができない。すると、摺動部材４９の室内外方向への移動は、軸４４を中心とする回動へと変換され、その結果ラッチボルト当接部材４８が鉛直方向に移動（回動）する。該ラッチボルト当接部材４８は下方に移動することによりラッチボルト２５の扉からの突没を許容し、水平の場合にはラッチボルト２５の移動を禁止している。従って、把手３１が操作されると、ラッチボルト当接部材４８が下がり、ラッチボルト２５が扉に対して突没することが可能となる。
【００３２】
アシスト機構６０の押し部材６４はＬ字型の断面を有する部材で、水平である部分と垂直である部分を備えている。そのうち水平である部分の室内側が図５及び図７からわかるように軸６２、６３を介してアーム３３に連結している。また、垂直である部分は室外側に延設されている。枠体押し部材７２は、扉１５の内側に取付部材７１ａ、７１ｂに備えられた鉛直の軸７０に回動自在に取り付けられている。枠体押し部材７２は、長い棒状の部材であり、その長手方向略中央で軸７０に取り付けられている。そして軸７０より扉１５の内側の部位は、押し部材６４の回動の軌道上に配置される。一方、軸７０より扉１５の外側の端部は、扉１５の外側に突出して配置される。さらに該端部の移動（回動）の軌道上には縦枠１４に固定された枠体被押し部材１４ａが備えられている。従ってアーム３３、つまりは把手３１を軸６３を中心に回動させると、同様に軸６３を中心に押し部材６４も回動する。すると、所定の位置で、押し部材６４の室外側端部が、枠体押し部材７２の一端を押して軸７０を中心に回動させる。該回動により扉１５の外側に配置されている他端側が回動して室内側に移動する。このとき、縦枠１４に取り付けられた枠体被押し部材１４ａを押し、扉１５と枠体１４とを離す、つまりは扉１５を開放させようとする力を生じる。これにより、扉１５は開放する力を得るので室内外の気圧差が大きくても容易に扉１５を開けることができるようになる。このときアーム３３の長さ、及び枠体押し部材７２の軸７０を挟んだ長さの分がモーメントを大きくし、小さい力でも大きな開放力が得られる。よって利用者にとって利便性の高い開口部装置を提供することができる。
【００３３】
以上に示したように、本発明の開口部装置１では非常に簡易的な構造による扉開放補助機構３０を有しているので、動作の信頼性が高く、安価に製造することが可能である。
【００３４】
また、上述したように、２本のアーム３２、３３は１つの把手３１に連結しており、利用者は把手３１のみを操作すれば同時に２本のアーム３２、３３を操作することができ、ラッチボルト制御機構４０とアシスト機構６０とを連動して操作することができる。
【００３５】
そこで次に、実際に扉１５を開放する場面を例示的に示すとともに、このときにおけるラッチボルト制御機構４０と、アシスト機構６０との関係を説明する。図８〜図１０は、把手３１を操作して扉１５を開放する場面を順を追って示した開口部装置１の図で、各図において（ａ）はラッチボルト制御機構４０周辺の上面図、（ｂ）はラッチボルト制御機構４０の制御部材４７の側面図、（ｃ）はアシスト機構６０周辺の上面図である。また、（ａ）、（ｃ）では紙面上が室外側、紙面下が室内側、（ｂ）は紙面左が室内側、紙面右が室外側である。扉１５の閉鎖の姿勢で、ラッチボルト制御機構４０及びアシスト機構６０の各部材は最初、図６及び図７のように配置されている。そして、制御部材４７はラッチボルト当接部材４８が水平である姿勢とされている。
【００３６】
かかる配置からわずかに把手３１を室外側に押すように操作すると、これにともなって上述のように案内板４５及びスリット４６が軸４３を中心に回動する。するとスリット４６のスリット４６ａの部位にある摺動部材４９は、スリット４６ａが軸４３との距離が大きくなることに伴って室外側に移動する。これにより、図８（ｂ）に示したように制御部材４７は軸４４を中心に回動し、ラッチボルト当接部材４８が下方へ傾く。この時点ではラッチボルト２５はその移動が禁止されたままである。一方、図８（ｃ）に示したようにこの場合の把手３１の移動では、押し部材６４は枠体押し部材７２に当接しておらず、枠体押し部材７２の姿勢は維持される。
【００３７】
さらに把手３１を室外側に押すように操作すると、図９に示したように案内板４５及び押し部材６４の回動が進行する。図９に示した状態において、図９（ａ）のように、摺動部材４９は、軸４３との距離が最も大きく一定であるスリット４６ｂの内側に配置されており、図９（ｂ）のように、制御部材４７のラッチボルト当接部材４８が最も下方にある姿勢で保持されている。このとき、ラッチボルト２５の移動はすでに許容されており、ラッチボルト２５は扉１５からの突没が自由とされている。よって扉１５はラッチボルト２５によってはその開放を禁止されることがなくなる。一方、アシスト機構６０では、図９（ｃ）に示したように、このときに押し部材６４の室外側端部が枠体押し部材７２に当接する。従って、図９（ｃ）に示した姿勢では、枠体押し部材７２は未だ回動していないが、これ以上に押し部材６４が室外側に回動されると枠体押し部材７２も回動する。よって図９では、ラッチボルトの移動が許容される一方でアシスト機構６０は未だ作用していない状態である。
【００３８】
さらに把手３１をその許容される限度まで室外側に移動させると、図１０に示したように案内板４５及び押し部材６４が回動する。図１０に示した状態において、図１０（ａ）のように、摺動部材４９は、軸４３との距離が最も大きく一定であるスリット４６ｂの内側に配置されており、図１０（ｂ）のように、制御部材４７のラッチボルト当接部材４８が最も下方にある姿勢で保持されている。このとき、ラッチボルト２５の移動が許容された状態を維持していることとなり、ラッチボルト２５は扉１５からの突没が自由とされている。よって扉１５はラッチボルト２５によってはその開放を禁止されることがない。一方、アシスト機構６０では、図１０（ｃ）に示したように、このときに押し部材６４の室外側端部が枠体押し部材７２の一端を室外側に押し、該枠体押し部材７２が軸７０を中心に回動する。従って、扉１５の室外側に突出して配置された端部は、室内側に移動（回動）して枠体１４に取り付けられた枠体被押し部材１４ａを押し、扉１５に開放力を与える。
【００３９】
以上のような扉開放補助機構３０により、把手３１の操作のみで、ラッチボルト２５が解除されるとともに、該解除を維持し、さらに扉を開くために扉に補助力を与えることのできる開口部装置１を提供することができる。よって利便性が高い開口部装置とすることができる。
【００４０】
以上、現時点において、最も、実践的であり、かつ、好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う開口部装置もまた本発明の技術的範囲に包含されるものとして理解されなければならない。
【図面の簡単な説明】
【００４１】
【図１】本発明の１つの実施形態にかかる開口部装置を示す室内側からの正面図である。
【図２】本発明の開口部装置の扉開放補助機構が備えられる部位に着目して示した室内側の斜視図である。
【図３】扉開放補助機構の室内側斜視図である。
【図４】扉開放補助機構の室外側斜視図である。
【図５】扉開放補助機構から箱体を取り除いて示した室内側斜視図である。
【図６】開口部装置のラッチボルト制御機構の部位に着目して示した上面図である。
【図７】開口部装置のアシスト機構の部位に着目して示した上面図である。
【図８】扉開放の動作における一場面を示したラッチボルト制御機構及びアシスト機構の部位に着目して示した上面図である。
【図９】扉開放の動作における他の一場面を示したラッチボルト制御機構及びアシスト機構の部位に着目して示した上面図である。
【図１０】扉開放の動作における他の一場面を示したラッチボルト制御機構及びアシスト機構の部位に着目して示した上面図である。
【符号の説明】
【００４２】
１  開口部装置
１０  枠体
１１  上枠
１２  下枠
１３  縦枠
１４  縦枠
１５  扉
２０  施錠装置
２５  ラッチボルト
３０  扉開放補助機構
３１  把手
３２  アーム
３３  アーム
４０  ラッチボルト制御機構
４１  箱体
４２  軸
４３  軸
４４  軸
４５  案内板
４６  スリット
４７  制御部材
４８  ラッチボルト当接部
４９  摺動部
６０  アシスト機構
６１  箱体
６２  軸
６３  軸
６４  押し部材
７０  軸
７２  枠体押し部材
８０  トーションばね
８１  トーションばね
【図１】
2007077761.tif 000003
【図２】
2007077761.tif 000004
【図３】
2007077761.tif 000005
【図４】
2007077761.tif 000006
【図５】
2007077761.tif 000007
【図６】
2007077761.tif 000008
【図７】
2007077761.tif 000009
【図８】
2007077761.tif 000010
【図９】
2007077761.tif 000011
【図１０】
2007077761.tif 000012